(57)【要約】【課題】河川に設置されたダムから放流が行われたときに、迅速且つ確実に放流警報を鳴動することが可能な放流警報システム、放流警報装置、放流警報送出方法を提供する。【解決手段】監視対象の河川のダムの下流域に設置された複数の放流警報装置はそれぞれ、直近の上流の放流警報装置から送信された放流警報制御信号を受信したときに放流警報を鳴動する第２放流警報鳴動部３０１と、自装置の設置場所に近接する河川の水量の計測値を第２河川水量計測値として取得する第２河川水量計測値取得部３０３と、第２河川水量計測値が予め記憶した閾値を超えていたときには当該水量が正常ではなく下流の水量も増加する可能性があると判断する第２ローカル判断部３０４と、放流警報が鳴動された後、下流の水量も増加する可能性があると判断されたときに、放流警報制御信号を直近の下流の放流警報装置に送信する第２警報制御信号送信部３０５とを有する。【選択図】図１
2010086463.tif 000002
【特許請求の範囲】
【請求項１】
監視対象の河川のダムの下流域に所定間隔で設置され、上流から下流に順次接続された複数の放流警報装置で構成された放流警報システムであって、
前記複数の放流警報装置のうち、当該河川の最も上流の流域に設置された第１放流警報装置は、
自装置の設置場所に近接する河川の水量が正常であるか否かを判断するための第１河川水量閾値を記憶する第１河川水量閾値記憶部と、
自装置の設置場所に近接する河川の水量の計測値を、第１河川水量計測値として取得する第１河川水量計測値取得部と、
前記第１河川水量計測値取得部で取得された第１河川水量計測値と、前記第１河川水量閾値記憶部に記憶された第１河川水量閾値とを比較し、前記第１河川水量計測値が前記第１河川水量閾値を超えていたときには自装置の設置場所に近接する河川の水量が正常ではないため前記ダムからの放流で増水の可能性があると判断する第１ローカル判断部と、
前記第１ローカル判断部において放流により増水の可能性があると判断されたときに、近隣の人に注意を促すための放流警報を鳴動する第１放流警報鳴動部と、
前記第１ローカル判断部において放流により増水の可能性があると判断されたときに、前記放流警報を鳴動させるための放流警報制御信号を直近の下流の放流警報装置に送信する第１警報制御信号送信部と、
を有し、
前記複数の放流警報装置のうち、前記第１放流警報装置よりも下流の流域に設置された複数の第２放流警報装置は、
前記第１放流警報装置を含む直近の上流の放流警報装置から送信された放流警報制御信号を受信したときに、前記放流警報を鳴動する第２放流警報鳴動部と、
自装置の設置場所に近接する河川の水量が正常であるか否かを判断するための第２河川水量閾値を記憶する第２河川水量閾値記憶部と、
自装置の設置場所に近接する河川の水量の計測値を、第２河川水量計測値として取得する第２河川水量計測値取得部と、
前記第２河川水量計測値取得部で計測された第２河川水量計測値と、前記第２河川水量閾値記憶部に記憶された第２河川水量閾値とを比較し、前記第２河川水量計測値が前記第２河川水量閾値を超えていたときには自装置の設置場所に近接する河川の水量が正常ではなく下流の水量も増加する可能性があると判断する第２ローカル判断部と、
前記第２放流警報鳴動部において前記放流警報が鳴動された後、前記第２ローカル判断部において下流の水量も増加する可能性があると判断されたときに、前記放流警報を鳴動させるための放流警報制御信号を直近の下流の放流警報装置に送信する第２警報制御信号送信部と、
を有することを特徴とする放流警報システム。
【請求項２】
前記ダムに設置され、前記複数の放流警報装置に接続された制御監視装置をさらに備え、
前記制御監視装置は、
前記ダムの水量が正常であるか否かを判断するための閾値をダム水量閾値として記憶するダム水量閾値記憶部と、
前記ダムの水量の計測値を、ダム水量計測値として取得するダム水量計測値取得部と、
前記ダム水量計測値取得部で取得されたダム水量計測値と、前記ダム水量閾値記憶部に記憶されたダム水量閾値とを比較し、前記ダム水量計測値が前記ダム水量閾値を超えていたときに下流の河川への放流を行う放流制御部と、
前記複数の放流警報装置における放流警報の鳴動処理を自装置からリモート制御で実行するときには、リモート制御を実行することを示すリモート制御信号を前記複数の放流警報装置に所定時間間隔で送信するとともに、前記放流制御部により放流が行われたか否かを監視し、前記リモート制御信号が所定時間間隔で送信されている期間に放流が行われたことを検知したときには、前記放流警報制御信号を前記複数の放流警報装置に送信するリモート制御部と
を有し、
前記第１放流警報装置の第１放流警報鳴動部は、前記制御監視装置のリモート制御部からリモート制御信号が所定時間間隔で送信されている期間は、前記第１ローカル判断部における判断結果を取得せず、前記リモート制御部から前記放流警報制御信号が送信されたときに放流警報を鳴動し、
前記第２放流警報装置の第２放流警報鳴動部は、前記制御監視装置のリモート制御部からリモート制御信号が所定時間間隔で送信されている期間は、前記第１放流警報装置を含む直近の上流の放流警報装置から送信される放流警報制御信号は受信せず、前記リモート制御部から送信される前記放流警報制御信号を受信したときに放流警報を鳴動する
ことを特徴とする請求項１に記載の放流警報システム。
【請求項３】
監視対象の河川のダムの下流域に所定間隔で設置され、上流から下流に順次接続された複数の放流警報装置のうち、当該河川の最も上流の流域に設置された放流警報装置よりも下流の流域に設置された複数の放流警報装置であって、
前記最も上流の流域に設置された放流警報装置を含む直近の上流の放流警報装置から送信された、近隣の人に注意を促すための放流警報を鳴動させるための放流警報制御信号を受信したときに、前記放流警報を鳴動する放流警報鳴動部と、
自装置の設置場所に近接する河川の水量が正常であるか否かを判断するための河川水量閾値を記憶する河川水量閾値記憶部と、
自装置の設置場所に近接する河川の水量の計測値を、河川水量計測値として取得する河川水量計測値取得部と、
前記河川水量計測値取得部で計測された河川水量計測値と、前記河川水量閾値記憶部に記憶された河川水量閾値とを比較し、前記河川水量計測値が前記河川水量閾値を超えていたときには自装置の設置場所に近接する河川の水量が正常ではなく下流の水量も増加する可能性があると判断するローカル判断部と、
前記放流警報鳴動部において前記放流警報が鳴動された後、前記ローカル判断部において下流の水量も増加する可能性があると判断されたときに、前記放流警報を鳴動させるための放流警報制御信号を直近の下流の放流警報装置に送信する警報制御信号送信部と、
を有することを特徴とする放流警報装置。
【請求項４】
前記放流警報鳴動部は、
前記ダムに設置され、前記複数の放流警報装置に接続された制御監視装置から放流警報の鳴動処理をリモート制御を実行することを示すリモート制御信号が所定時間間隔で送信されている期間は、前記直近の上流の放流警報装置から送信される放流警報制御信号は受信せず、前記リモート制御部から送信される前記放流警報制御信号を受信したときに放流警報を鳴動する
ことを特徴とする請求項３に記載の放流警報装置。
【請求項５】
監視対象の河川のダムの下流域に所定間隔で設置され、上流から下流に順次接続された複数の放流警報装置のうち、当該河川の最も上流の流域に設置された第１放流警報装置が、
自装置の設置場所に近接する河川の水量が正常であるか否かを判断するための第１河川水量閾値を記憶し、
自装置の設置場所に近接する河川の水量の計測値を、第１河川水量計測値として取得し、
取得された第１河川水量計測値とに記憶された第１河川水量閾値とを比較し、前記第１河川水量計測値が前記第１河川水量閾値を超えていたときには自装置の設置場所に近接する河川の水量が正常ではないため前記ダムからの放流で増水の可能性があると判断して近隣の人に注意を促すための放流警報を鳴動するとともに、前記放流警報を鳴動させるための放流警報制御信号を直近の下流の放流警報装置に送信し、
前記複数の放流警報装置のうち、前記第１放流警報装置よりも下流の流域に設置された複数の第２放流警報装置が、
前記第１放流警報装置を含む直近の上流の放流警報装置から送信された放流警報制御信号を受信したときに、前記放流警報を鳴動し、
自装置の設置場所に近接する河川の水量が正常であるか否かを判断するための第２河川水量閾値を記憶し、
自装置の設置場所に近接する河川の水量の計測値を、第２河川水量計測値として取得し、
前記放流警報を鳴動した後に、計測された第２河川水量計測値と、記憶された第２河川水量閾値とを比較し、前記第２河川水量計測値が前記第２河川水量閾値を超えていたときには自装置の設置場所に近接する河川の水量が正常ではなく下流の水量も増加する可能性があると判断し、前記放流警報を鳴動させるための放流警報制御信号を直近の下流の放流警報装置に送信する、
ことを特徴とする放流警報送出方法。
【請求項６】
前記ダムに設置され、前記複数の放流警報装置に接続された制御監視装置が、
前記ダムの水量が正常であるか否かを判断するための閾値を記憶し、
前記ダムの水量の計測値を、ダム水量計測値として取得し、
取得されたダム水量計測値と、記憶されたダム水量閾値とを比較し、前記ダム水量計測値が前記ダム水量閾値を超えていたときに下流の河川への放流を行い、
前記複数の放流警報装置における放流警報の鳴動処理を自装置からリモート制御で実行するときには、リモート制御を実行することを示すリモート制御信号を前記複数の放流警報装置に所定時間間隔で送信するとともに、放流が行われたか否かを監視し、前記リモート制御信号が所定時間間隔で送信されている期間に放流が行われたことを検知したときには、前記放流警報制御信号を前記複数の放流警報装置に送信し、
前記第１放流警報装置は、
前記制御監視装置からリモート制御信号が所定時間間隔で送信されている期間は、取得されたダム水量計測値と記憶されたダム水量閾値との比較結果を取得せず、前記制御監視装置から前記放流警報制御信号が送信されたときに放流警報を鳴動し、
前記第２放流警報装置は、
前記制御監視装置からリモート制御信号が所定時間間隔で送信されている期間は、前記第１放流警報装置を含む直近の上流の放流警報装置から送信される放流警報制御信号は受信せず、前記制御監視装置から送信される前記放流警報制御信号を受信したときに放流警報を鳴動する
ことを特徴とする請求項５に記載の放流警報送出方法。
【発明の詳細な説明】
【技術分野】
【０００１】
本発明は、ダムからの放流時にダムの下流域付近にいる人に対して注意を促すための、放流警報システム、放流警報装置、放流警報送出方法に関する。
【背景技術】
【０００２】
ダムに設置された監視局では、ダムの水位に応じて放流制御を行うとともに、ダムの下流域の複数箇所に設置された放流警報局へ、放流警報を流すための遠隔制御を行っている。
【０００３】
放流警報とは、ダムから放流が行われる際、下流域で洪水などが起こるおそれがある場合に、下流域の住民や、釣りやキャンプに訪れている人等へ注意や避難を促すために放流警報局から流すアナウンスである。
【０００４】
この放流警報を利用して、ダムの放流時に洪水等に対する注意を喚起する装置として、特許文献１に記載の放流警報装置がある。
【０００５】
この放流警報装置は放流警報局に設置され、放流警報を流す必要が生じたときに監視局から送信される遠隔制御信号を受信すると、所定の監視範囲内で侵入者がいるかどうかを検出し、侵入者が検出されたときに警報音で注意を喚起する。
【０００６】
この放流警報装置は、監視範囲に侵入者がいる場合に限り警報音が鳴動するので、侵入者に対して注意を喚起する際に安全な地域に居住している近隣住民への騒音被害を必要最小限に抑制するこができる。
【特許文献１】特許第３６０４３０９号公報
【特許文献２】特開平７−１８２５８６号公報
【発明の開示】
【発明が解決しようとする課題】
【０００７】
上記の特許文献１に記載された従来の放流警報装置においては、放流警報の鳴動の要否はダムに設置された監視局により制御されている。
【０００８】
そのため、監視局で障害が発生したときや、監視局に監視員が不在の夜間に大雨等によりダムの水位が急激に上昇したときなど、放流警報の鳴動が必要であるにもかかわらず監視局から放流警報局へ放流警報を鳴動させる遠隔制御ができない場合、またはこの遠隔制御が遅れる場合に、ダムの下流域にいる人への注意および避難勧告が遅れてしまうという問題がある。
【０００９】
そこで、特許文献２に記載の技術では、親局である監視局と子局である放流警報局との間の通信回線が災害等により切断された場合に、河川の水位等を計測するテレメータから入力されるデータを基に子局自身で放流警報の要否を判断し、必要に応じて放流警報を鳴動するローカル制御を可能にしている。
【００１０】
しかし、この特許文献２に記載の技術を利用すると、各放流警報局自身で放流警報の要否を判断する場合、実際に河川の水位が上昇してからでなければ警報を鳴動させることができず、やはり下流域にいる人への注意および避難勧告を迅速に行うことができないという問題があった。
【００１１】
本発明は上記事情に鑑みてなされたもので、河川に設置されたダムから放流が行われたときに、迅速且つ確実に放流警報を鳴動することが可能な放流警報システム、放流警報装置、放流警報送出方法を提供することを目的とする。
【課題を解決するための手段】
【００１２】
上記目的を達成するための本発明の放流警報システムは、監視対象の河川のダムの下流域に所定間隔で設置され、上流から下流に順次接続された複数の放流警報装置で構成された放流警報システムであって、前記複数の放流警報装置のうち、当該河川の最も上流の流域に設置された第１放流警報装置は、自装置の設置場所に近接する河川の水量が正常であるか否かを判断するための第１河川水量閾値を記憶する第１河川水量閾値記憶部と、自装置の設置場所に近接する河川の水量の計測値を、第１河川水量計測値として取得する第１河川水量計測値取得部と、前記第１河川水量計測値取得部で取得された第１河川水量計測値と、前記第１河川水量閾値記憶部に記憶された第１河川水量閾値とを比較し、前記第１河川水量計測値が前記第１河川水量閾値を超えていたときには自装置の設置場所に近接する河川の水量が正常ではないため前記ダムからの放流で増水の可能性があると判断する第１ローカル判断部と、前記第１ローカル判断部において放流により増水の可能性があると判断されたときに、近隣の人に注意を促すための放流警報を鳴動する第１放流警報鳴動部と、前記第１ローカル判断部において放流により増水の可能性があると判断されたときに、前記放流警報を鳴動させるための放流警報制御信号を直近の下流の放流警報装置に送信する第１警報制御信号送信部とを有し、前記複数の放流警報装置のうち、前記第１放流警報装置よりも下流の流域に設置された複数の第２放流警報装置は、前記第１放流警報装置を含む直近の上流の放流警報装置から送信された放流警報制御信号を受信したときに、前記放流警報を鳴動する第２放流警報鳴動部と、自装置の設置場所に近接する河川の水量が正常であるか否かを判断するための第２河川水量閾値を記憶する第２河川水量閾値記憶部と、自装置の設置場所に近接する河川の水量の計測値を、第２河川水量計測値として取得する第２河川水量計測値取得部と、前記第２河川水量計測値取得部で計測された第２河川水量計測値と、前記第２河川水量閾値記憶部に記憶された第２河川水量閾値とを比較し、前記第２河川水量計測値が前記第２河川水量閾値を超えていたときには自装置の設置場所に近接する河川の水量が正常ではなく下流の水量も増加する可能性があると判断する第２ローカル判断部と、前記第２放流警報鳴動部において前記放流警報が鳴動された後、前記第２ローカル判断部において下流の水量も増加する可能性があると判断されたときに、前記放流警報を鳴動させるための放流警報制御信号を直近の下流の放流警報装置に送信する第２警報制御信号送信部とを有することを特徴とする。
【００１３】
また、本発明の放流警報装置は、監視対象の河川のダムの下流域に所定間隔で設置され、上流から下流に順次接続された複数の放流警報装置のうち、当該河川の最も上流の流域に設置された放流警報装置よりも下流の流域に設置された複数の放流警報装置であって、前記最も上流の流域に設置された放流警報装置を含む直近の上流の放流警報装置から送信された、近隣の人に注意を促すための放流警報を鳴動させるための放流警報制御信号を受信したときに、前記放流警報を鳴動する放流警報鳴動部と、自装置の設置場所に近接する河川の水量が正常であるか否かを判断するための河川水量閾値を記憶する河川水量閾値記憶部と、自装置の設置場所に近接する河川の水量の計測値を、河川水量計測値として取得する河川水量計測値取得部と、前記河川水量計測値取得部で計測された河川水量計測値と、前記河川水量閾値記憶部に記憶された河川水量閾値とを比較し、前記河川水量計測値が前記河川水量閾値を超えていたときには自装置の設置場所に近接する河川の水量が正常ではなく下流の水量も増加する可能性があると判断するローカル判断部と、前記放流警報鳴動部において前記放流警報が鳴動された後、前記ローカル判断部において下流の水量も増加する可能性があると判断されたときに、前記放流警報を鳴動させるための放流警報制御信号を直近の下流の放流警報装置に送信する警報制御信号送信部とを有することを特徴とする。
【００１４】
また、本発明の放流警報送出方法は、監視対象の河川のダムの下流域に所定間隔で設置され、上流から下流に順次接続された複数の放流警報装置のうち、当該河川の最も上流の流域に設置された第１放流警報装置が、自装置の設置場所に近接する河川の水量が正常であるか否かを判断するための第１河川水量閾値を記憶し、自装置の設置場所に近接する河川の水量の計測値を、第１河川水量計測値として取得し、取得された第１河川水量計測値とに記憶された第１河川水量閾値とを比較し、前記第１河川水量計測値が前記第１河川水量閾値を超えていたときには自装置の設置場所に近接する河川の水量が正常ではないため前記ダムからの放流で増水の可能性があると判断して近隣の人に注意を促すための放流警報を鳴動するとともに、前記放流警報を鳴動させるための放流警報制御信号を直近の下流の放流警報装置に送信し、前記複数の放流警報装置のうち、前記第１放流警報装置よりも下流の流域に設置された複数の第２放流警報装置が、前記第１放流警報装置を含む直近の上流の放流警報装置から送信された放流警報制御信号を受信したときに、前記放流警報を鳴動し、自装置の設置場所に近接する河川の水量が正常であるか否かを判断するための第２河川水量閾値を記憶し、自装置の設置場所に近接する河川の水量の計測値を、第２河川水量計測値として取得し、前記放流警報を鳴動した後に、計測された第２河川水量計測値と、記憶された第２河川水量閾値とを比較し、前記第２河川水量計測値が前記第２河川水量閾値を超えていたときには自装置の設置場所に近接する河川の水量が正常ではなく下流の水量も増加する可能性があると判断し、前記放流警報を鳴動させるための放流警報制御信号を直近の下流の放流警報装置に送信することを特徴とする。
【発明の効果】
【００１５】
本発明の放流警報システム、放流警報装置、放流警報送出方法によれば、河川に設置されたダムから放流が行われたときに、迅速且つ確実に放流警報を鳴動することができる。
【発明を実施するための最良の形態】
【００１６】
〈第１実施形態による放流警報システムの構成〉
本発明の第１実施形態による放流警報システム１の構成を、図１および図２を参照して説明する。
【００１７】
図１は、本実施形態による放流警報システム１を示す全体図である。図１に示すように、放流警報システム１は、監視対象の河川のダムの制御監視局Ａに設置された制御監視装置１０と、この河川のダムの下流域にある複数の放流警報局Ｂ、Ｃ１、Ｃ２、Ｃ３、Ｃ４・・・にそれぞれ設置された第１および第２放流警報装置２０、３０−１、３０−２、３０−３、３０−４・・・とが無線で接続されるとともに、これらの第１および第２放流警報装置２０、３０−１、３０−２、３０−３、３０−４・・・が上流から下流に順次無線で接続されている。図１においては、第１放流警報装置２０と第２放流警報装置３０−１とが接続され、第２放流警報装置３０−１と第２放流警報装置３０−２とが接続され、第２放流警報装置３０−２と第２放流警報装置３０−３とが接続され、第２放流警報装置３０−３と第２放流警報装置３０−４とが接続される構成となっている。本実施形態において、これらの複数の放流警報局のうち、放流警報局Ｂが当該河川の最も上流域にある上流放流警報局であり、この放流警報局Ｂの下流域にある複数の放流警報局Ｃ１、Ｃ２、Ｃ３、Ｃ４・・・が下流放流警報局であるものとする。
【００１８】
また制御監視局Ａには当該ダムの水量として水位を計測する水位計１１が設置され、上流放流警報局Ｂおよび下流放流警報局Ｃ１、Ｃ２、Ｃ３、Ｃ４・・・にはこれらの放流警報局に近接する河川の水量として水位を計測する水位計２１および３１−１、３１−２、３１−３、３１−４が設置されている。
【００１９】
これらの制御監視局Ａに設置された制御監視装置１０と、上流放流警報局Ｂに設置された第１放流警報装置２０と、複数の下流放流警報局Ｃ１、Ｃ２、Ｃ３、Ｃ４に設置された第２放流警報装置３０−１、３０−２・・・の詳細な構成を図２に示す。
【００２０】
制御監視装置１０は、ダム水量閾値記憶部１０１と、ダム水量計測値取得部１０２と、放流制御部１０３と、リモート制御部１０４とを有する。
【００２１】
ダム水量閾値記憶部１０１は、当該ダムの水量が正常であるか否かを判断するためのダム水量閾値を記憶する。
【００２２】
ダム水量計測値取得部１０２は、当該ダムの水位計測値を、水位計１１からダム水量計測値として取得する。
【００２３】
放流制御部１０３は、ダム水量計測値取得部１０２で取得されたダム水量計測値と、ダム水量閾値記憶部１０１に記憶されたダム水量閾値とを比較し、ダム水量計測値がダム水量閾値を超えていたときに下流の河川への放流を行う。
【００２４】
リモート制御部１０４は、複数の放流警報装置２０、３０−１、３０−２、３０−３、３０−４・・・における放流警報の鳴動処理を自装置からリモート制御で実行するときには、リモート制御を実行することを示すリモート制御信号をこれらの放流警報装置２０、３０−１、３０−２、３０−３、３０−４・・・に所定時間間隔で送信するとともに、放流制御部１０３により放流が行われたか否かを監視し、リモート制御信号が所定時間間隔で送信されている期間に放流が行われたことを検知したときには、放流警報制御信号をこれらの放流警報装置２０、３０−１、３０−２、３０−３、３０−４・・・に送信する。
【００２５】
第１放流警報装置２０は、第１河川水量閾値記憶部２０１と、第１河川水量計測値取得部２０２と、第１ローカル判断部２０３と、第１放流警報鳴動部２０４と、第１警報制御信号送信部２０５とを有する。
【００２６】
第１河川水量閾値記憶部２０１は、自装置の設置場所に近接する河川の水量が正常であるか否かを判断するための第１河川水量閾値を記憶する。
【００２７】
第１河川水量計測値取得部２０２は、自装置の設置場所に近接する河川の水量の計測値を、水位計２１から第１河川水量計測値として取得する。
【００２８】
第１ローカル判断部２０３は、第１河川水量計測値取得部２０２で取得された第１河川水量計測値と、第１河川水量閾値記憶部２０１に記憶された第１河川水量閾値とを比較し、第１河川水量計測値が第１河川水量閾値を超えていたときには自装置の設置場所に近接する河川の水量が正常ではないためダムからの放流で増水の可能性があると判断する。
【００２９】
第１放流警報鳴動部２０４は、制御監視装置１０のリモート制御部１０４からリモート制御信号が送信されていないときは、第１ローカル判断部２０３において放流により増水の可能性があると判断されたときに、近隣の人に注意を促すための放流警報を鳴動する。また第１放流警報鳴動部２０４は、制御監視装置１０のリモート制御部１０４からリモート制御信号が所定時間間隔で送信されている期間は、第１ローカル判断部２０３における判断結果を取得せず、リモート制御部１０４から放流警報制御信号が送信されたときに放流警報を鳴動する。
【００３０】
第１警報制御信号送信部２０５は、第１ローカル判断部２０３において放流により増水の可能性があると判断されたときに、放流警報を鳴動させるための放流警報制御信号を直近の下流の放流警報装置に送信する。
【００３１】
第２放流警報装置３０−１、３０−２、３０−３、３０−４・・・はそれぞれ、第２放流警報鳴動部３０１と、第２河川水量閾値記憶部３０２と、第２河川水量計測値取得部３０３と、第２ローカル判断部３０４と、第２警報制御信号送信部３０５とを有する。
【００３２】
第２放流警報鳴動部３０１は、制御監視装置１０のリモート制御部１０４からリモート制御信号が送信されていないときは、第１放流警報装置２０を含む直近の上流の放流警報装置から送信された放流警報制御信号を受信したときに、放流警報を鳴動する。また、制御監視装置１０のリモート制御部１０４からリモート制御信号が所定時間間隔で送信されている期間は、第１放流警報装置２０を含む直近の上流の放流警報装置から送信される放流警報制御信号は受信せず、リモート制御部１０４から送信される放流警報制御信号を受信したときに放流警報を鳴動する。
【００３３】
第２河川水量閾値記憶部３０２は、自装置の設置場所に近接する河川の水量が正常であるか否かを判断するための第２河川水量閾値を記憶する。
【００３４】
第２河川水量計測値取得部３０３は、自装置の設置場所に近接する河川の水位測値を、第２河川水量計測値として水位計３１−１、３１−２、３１−３、３１−４から取得する。
【００３５】
第２ローカル判断部３０４は、第２河川水量計測値取得部３０３で計測された第２河川水量計測値と、第２河川水量閾値記憶部３０２に記憶された第２河川水量閾値とを比較し、第２河川水量計測値が第２河川水量閾値を超えていたときには自装置の設置場所に近接する河川の水量が正常ではなく下流の水量も増加する可能性があると判断する。
【００３６】
第２警報制御信号送信部３０５は、第２放流警報鳴動部３０１において放流警報が鳴動された後、第２ローカル判断部３０４において下流の水量も増加する可能性があると判断されたときに、放流警報を鳴動させるための放流警報制御信号を直近の下流の放流警報装置に送信する。
【００３７】
〈第１実施形態による放流警報システムの動作〉
次に、本実施形態による放流警報システム１の動作について説明する。
【００３８】
本実施形態において放流警報システム１の処理が行われる際は、予め、ダム水量閾値記憶部１０１には当該ダムの水量が正常であるか否かを判断するためのダム水量閾値が記憶され、第１河川水量閾値記憶部２０１には第１放流警報装置２０の設置場所に近接する河川の水量が正常であるか否かを判断するための第１河川水量閾値が記憶され、第２河川水量閾値記憶部３０２には第２放流警報装置３０−１、３０−２、３０−３、３０−４・・・の設置場所に近接する河川の水量が正常であるか否かを判断するための第２河川水量閾値がそれぞれ記憶されているものとする。
【００３９】
放流警報の鳴動処理は、各放流警報装置においてローカルで制御される場合と、ダムに設けられた制御監視装置１０からリモートで制御される場合とがある。ここではまず、各放流警報装置においてローカルで放流警報の鳴動処理が行われる場合について図３のシーケンス図を参照して説明する。
【００４０】
各放流警報装置においてローカルで放流警報の鳴動処理が行われるときには、制御監視装置１０のリモート制御部１０４から各放流警報装置にリモート制御信号が送信されていない状態で処理が行われる。
【００４１】
上述したようにそれぞれ閾値が記憶され、リモート制御部１０４から各放流警報装置にリモート制御信号が送信されていない状態で放流警報処理が開始されると、第１放流警報装置２０の第１河川水量計測値取得部２０２において自装置の設置場所に近接する河川の水量の計測値が、水位計２１から第１河川水量計測値として取得される（Ｓ１）。
【００４２】
次に、第１ローカル判断部２０３において、第１河川水量計測値取得部２０２で取得された第１河川水量計測値と、第１河川水量閾値記憶部２０１に記憶された第１河川水量閾値とが比較され、第１河川水量計測値が第１河川水量閾値を超えていたときには、第１放流警報装置２０の設置場所に近接する河川の水量が正常ではないためダムからの放流で増水の可能性があると判断される（Ｓ２）。
【００４３】
ここで放流により増水の可能性があると判断されると、第１放流警報鳴動部２０４において近隣の人に注意を促すための放流警報が鳴動される（Ｓ３）とともに、第１警報制御信号送信部２０５において放流警報を鳴動させるための放流警報制御信号が直近の下流の放流警報装置である第２放流警報装置３０−１に送信される（Ｓ４）。
【００４４】
第１放流警報装置２０から放流警報制御信号が送信されると、第２放流警報装置３０−１の第２放流警報鳴動部３０１で受信され、放流警報が鳴動される（Ｓ５）。これにより、第２放流警報装置３０−１で実際に増水が確認される前に放流警報が鳴動される。
【００４５】
次に、第２放流警報装置３０−１の第２河川水量計測値取得部３０３において自装置の設置場所に近接する河川の水量の計測値が、水位計３１−１から第２河川水量計測値として取得される（Ｓ６）。
【００４６】
次に、第２ローカル判断部３０４において、第２河川水量計測値取得部３０３で取得された第２河川水量計測値と、第２河川水量閾値記憶部３０２に記憶された第２河川水量閾値とが比較され、第２河川水量計測値が第２河川水量閾値を超えていたときには、第２放流警報装置３０−１の設置場所に近接する河川の水量が正常ではなく下流の水量も増加する可能性があると判断される（Ｓ７）。
【００４７】
ここで下流の水量も増加する可能性があると判断されると、第２警報制御信号送信部３０５において放流警報を鳴動させるための放流警報制御信号が直近の下流の放流警報装置である第２放流警報装置３０−２に送信される（Ｓ８）。
【００４８】
第２放流警報装置３０−１から放流警報制御信号が送信されると、第２放流警報装置３０−２の第２放流警報鳴動部３０１で受信され、第２放流警報装置３０−２で実際に増水が確認される前に放流警報が鳴動される（Ｓ９）。
【００４９】
第２放流警報装置３０−２で放流警報が鳴動されると、ステップＳ６〜Ｓ８と同様に河川水量計測値に基づいて下流の水量が増加する可能性があるか否かが判断され、増加する可能性があると判断されたときには直近の下流の放流警報装置に警報制御信号が送信される。
【００５０】
以上のステップＳ５〜Ｓ８の処理が繰り返されることにより、順次下流の放流警報装置において鳴動処理が行われる。
【００５１】
次に、ダムに設けられた制御監視装置１０からリモートで放流警報の鳴動処理が行われる場合について説明する。
【００５２】
制御監視装置１０からリモートで放流警報の鳴動処理が行われるときには、制御監視装置１０のリモート制御部１０４からリモート制御信号が各放流警報装置２０、３０−１、３０−２、３０−３、３０−４…に所定時間間隔で送信されている状態で処理が開始される（Ｓ１１）。
【００５３】
リモート制御部１０４からリモート制御信号が各放流警報装置に所定時間間隔で送信されると、制御監視装置１０のダム水量計測値取得部１０２において当該ダムの水位計測値が、水位計１１からダム水量計測値として取得される（Ｓ１２）。
【００５４】
次に、放流制御部１０３により、ダム水量計測値取得部で取得されたダム水量計測値と、ダム水量閾値記憶部１０１に記憶されたダム水量閾値とが比較され、ダム水量計測値がダム水量閾値を超えていたときには、下流の河川への放流が行われる（Ｓ１３）。
【００５５】
また、リモート制御部１０４ではリモート制御信号を送信している期間中、放流制御部１０３により放流が行われたか否かが監視されており、放流が行われたことが検知されたときには下流の河川で増水する可能性があると判断され、下流域の放流警報装置２０、３０−１、３０−２、３０−３、３０−４・・・に放流警報制御信号が送信される（Ｓ１４）。
【００５６】
各放流警報装置２０、３０−１、３０−２、３０−３、３０−４では、制御監視装置１０のリモート制御部１０４から送信された放流警報制御信号が第１放流警報鳴動部２０４または第２放流警報鳴動部３０１で受信され、放流警報が鳴動される（Ｓ１５、Ｓ１６、Ｓ１７）。
【００５７】
以上の本実施形態によれば、各放流警報装置で放流警報の鳴動処理を行うローカル制御では、河川に設置されたダムから放流が行われたと予測されたときに、各放流警報装置で実際に河川の増水を検知する前に予め放流警報を鳴動することができる。
【００５８】
また、当該ダムに設置された制御監視装置によりリモートで放流警報の鳴動処理を行うリモート制御に切り替えることもできる。
【図面の簡単な説明】
【００５９】
【図１】本発明の一実施形態による放流警報システムの構成を示す全体図である。
【図２】本発明の一実施形態による放流警報システムの詳細な構成を示すブロック図である。
【図３】本発明の一実施形態による放流警報システムのローカル制御を行うときの動作を示すシーケンス図である。
【図４】本発明の一実施形態による放流警報システムのリモート制御を行うときの動作を示すシーケンス図である。
【符号の説明】
【００６０】
１…放流警報システム
１０…制御監視装置
１１…水位計
２０…第１放流警報装置
２１…水位計
３０…第２放流警報装置
３１…水位計
１０１…ダム水量閾値記憶部
１０２…ダム水量計測値取得部
１０３…放流制御部
１０４…リモート制御部
２０１…第１河川水量閾値記憶部
２０２…第１河川水量計測値取得部
２０３…第１ローカル判断部
２０４…第１放流警報鳴動部
２０５…第１警報制御信号送信部
３０１…第２放流警報鳴動部
３０２…第２河川水量閾値記憶部
３０３…第２河川水量計測値取得部
３０４…第２ローカル判断部
３０５…第２警報制御信号送信部
【図１】
2010086463.tif 000003
【図２】
2010086463.tif 000004
【図３】
2010086463.tif 000005
【図４】
2010086463.tif 000006